(57)【要約】【課題】組み立て作業が不要なファスナを用いて、２枚のパネルを手早くかつ簡単に接合可能とするパネル取付構造の提供。【解決手段】取付孔部２１を形成した取付パネル２を係止孔部３１を形成した本体パネル３にファスナ１により固定させるパネル取付構造において、該ファスナ１は、中心回転軸１１と、該中心回転軸１１のパネル挿入方向の先端部に設けた鎖錠片１２と、該中心回転軸のパネル挿入方向末端部に設けたファスナ回転操作部１３と、該ファスナ１を取付パネル２に挿入後回転して保持する保持機構を備える。【選択図】図５
2010270770.tif 000002
【特許請求の範囲】
【請求項１】
取付孔部を形成した取付パネルを係止孔部を形成した本体パネルにファスナにより固定させるパネル取付構造において、
該ファスナは、中心回転軸と、該中心回転軸のパネル挿入方向の先端部に設けた鎖錠片と、該中心回転軸のパネル挿入方向末端部に設けたファスナ回転操作部と、該ファスナを取付パネルに挿入後回転して保持する保持機構を備えることを特徴とするパネル取付構造。
【請求項２】
該保持機構が、該ファスナの中心回転軸に直交して延設された腕部であることを特徴とする請求項１に記載のパネル取付構造。
【請求項３】
取付パネルまたは本体パネルの何れかに、該ファスナの回転角度を規制する回転規制部を備え、該ファスナに、該回転規制部に当接する係止部を備えることを特徴とする請求項１又は２パネル取付構造。
【請求項４】
該保持機構として、
係止部を兼用することを特徴とする請求項３に記載のパネル取付構造。
該係止部と腕部を軸部を中心に略９０度の角度をなして形成したとする請求項１〜４の何れかに記載のパネル取付構造。
【請求項５】
取付孔部の貫通部が、係止孔部の鎖錠片貫通部に対して略４５度の角度をなすように形成したことを特徴とする請求項１〜４の何れかに記載のパネル取付構造。
【請求項６】
取付孔部は、ファスナの中心回転軸を保持する一対の張出部からなることを特徴とする請求項１〜５の何れかに記載のパネル取付構造。
【請求項７】
ファスナは、該係止部が、中心回転軸のファスナ回転操作部側の基端に形成され、
該係止部と腕部を軸部を中心に略９０度の角度をなして形成したとする請求項１〜４に記載のパネル取付構造。
【発明の詳細な説明】
【技術分野】
【０００１】
本発明は、ファスナを用いたパネル取付構造に関するものである。
【背景技術】
【０００２】
電子機器収納用キャビネットの多くは、内部機器のメンテナンスを容易にするために、本体パネルに、側面パネル等の取付パネルを着脱可能に取り付ける構造を採用している。
【０００３】
本体パネルと取付パネルの２枚のパネルを手早くかつ簡単に接合する手段として、各種のファスナが提案されている。
【０００４】
例えば、特許文献１には、トップ側保持具と、一体成形したノブをもつ貫通ピンと、ゴムスリーブと、端部キャップとから構成された組み立て式ファスナが開示されている。
【０００５】
このように、従来のファスナは、何れも複数の部品で構成されるものであり、パネル取り付け作業が煩雑になる問題があった。
【先行技術文献】
【特許文献】
【０００６】
【特許文献１】特表２００４−５３２３７８号公報
【発明の概要】
【発明が解決しようとする課題】
【０００７】
本発明の目的は、前記の問題を解決し、組み立て作業が不要なファスナによって、本体パネルと取付パネルの２枚のパネルを、手早くかつ簡単に接合するパネル取付構造を提供することである
【課題を解決するための手段】
【０００８】
本発明のパネル取付構造は、取付孔部を形成した取付パネルを係止孔部を形成した本体パネルにファスナにより固定させるパネル取付構造において、該ファスナは、中心回転軸と、該中心回転軸のパネル挿入方向の先端部に設けた鎖錠片と、該中心回転軸のパネル挿入方向末端部に設けたファスナ回転操作部と、該ファスナを取付パネルに挿入後回転して保持する保持機構を備えることを特徴とするものである。
【０００９】
請求項２記載の発明は、請求項１記載のパネル取付構造において、該保持機構が、該ファスナの中心回転軸に直交して延設された腕部であることを特徴とするものである。
【００１０】
請求項３記載の発明は、請求項１又は２パネル取付構造において、取付パネルまたは本体パネルの何れかに、該ファスナの回転角度を規制する回転規制部を備え、該ファスナに、該回転規制部に当接する係止部を備えることを特徴とするものである。
【００１１】
請求項４記載の発明は、請求項３に記載のパネル取付構造において、該保持機構として、係止部を兼用することを特徴とするものである。
【００１２】
請求項５記載の発明は、請求項１〜４の何れかに記載のパネル取付構造において、取付孔部の貫通部が、係止孔部の鎖錠片貫通部に対して略４５度の角度をなすように形成したことを特徴とするものである。
【００１３】
請求項６記載の発明は、請求項１〜５の何れかに記載のパネル取付構造において、取付孔部は、ファスナの中心回転軸を保持する一対の張出部からなることを特徴とするものである。
【００１４】
請求項７記載の発明は、請求項１〜４に記載のパネル取付構造において、ファスナは、該係止部が、中心回転軸のファスナ回転操作部側の基端に形成され、該係止部と腕部を軸部を中心に略９０度の角度をなして形成したとするものである。
【発明の効果】
【００１５】
本発明に係るパネル取付構造では、取付パネルに形成された取付孔部にファスナを挿入後に回転して保持する保持機構と、本体パネルに固定させる鎖錠片をとを備える構造体として一体形成されたファスナを使用することにより、ファスナの部品点数が多いという問題を回避した。また、取付パネルに形成された取付孔部に、該ファスナを挿入後回転して、該ファスナを保持し、該取付パネルの裏面側を本体パネルに当接させて、本体パネルに形成された係止孔部に該ファスナの先端部を挿入後回転して、取付パネルを本体パネルに固定させる構成により、２枚のパネルを手早くかつ簡単に接合可能とした。
【図面の簡単な説明】
【００１６】
【図１】実施形態１におけるファスナと、取付パネルと、本体パネルの全体説明図である。
【図２】実施形態１におけるファスナの全体説明図である。
【図３】実施形態１におけるファスナの側面図である。
【図４】実施形態１における取付孔部の正面図である。
【図５】実施形態１におけるパネル取付構造の説明図である。
【図６】実施形態２におけるファスナの側面図である。
【図７】実施形態２における取付孔部の正面図である。
【図８】実施形態３におけるファスナの側面図である。
【図９】実施形態３における取付孔部の正面図である。
【図１０】実施形態４におけるファスナの全体説明図である。
【図１１】実施形態４におけるファスナの側面図である。
【図１２】実施形態４における取付孔部の正面図である。
【図１３】本発明を使用するキャビネットの取付パネル着脱状態を示す説明図である。
【発明を実施するための形態】
【００１７】
以下に本発明の好ましい実施形態を示す。
【００１８】
（実施形態１）
図１には、本実施形態のファスナ１と、取付パネル２と、本体パネル３の全体説明図を示している。図１に示すファスナ１は、取付パネル２に形成された取付孔部２１に挿入後、該ファスナの回転操作によって、該ファスナ１を取付パネル２に保持し、その後、該取り付けパネ２に保持されたファスナ１を、本体パネル３に形成された係止孔部３１に挿入後、該ファスナの回転操作によって、本体パネル３と取付パネル２を接合固定するものである。
【００１９】
本実施形態のパネル取付構造において、ファスナ１は図１３に示すような電気電子機器収納用キャビネット筐体の側面の前後に渡される細長のフレーム形状を有した本体パネル３に、取付パネル２としての側板を固定する場合に使用されるものとして最適なものである。この場合にファスナ１は取付パネル２の端部に設けることが好ましく、対応する位置に取付孔部２１及び本体パネル３の係止孔部３１を形成しておくものとする。
【００２０】
また、本実施形態のパネル取付構造は側板の固定に限定されるものではなく、例えばキャビネット内部のブランクパネル等を取付レール等に固定する場合にも使用できるものである。なお、取付パネル２の素材は特に限定されず、例えば、樹脂（植物性プラスチック）製パネルや金属製パネルを用いることができる。
【００２１】
図２には、実施形態１のファスナ１の全体説明図を示し、図３には、ファスナ１の側面図を示している。
【００２２】
図２および図３に示すように、本実施形態のファスナ１は、中心回転軸１１と、該中心回転軸のパネル挿入方向の先端部に設けた鎖錠片１２と、該中心回転軸のパネル挿入方向末端部に設けたファスナ回転操作部１３と、中心回転軸１１より鎖錠片１２と同方向に延出して形成され、該ファスナ１を取付パネル２に固定する保持機構と、該ファスナ１の回転を規制する係止部１４とを備えている。
【００２３】
ファスナ回転操作部１３の表面側には、コインやマイナスドライバで操作可能な溝部１３ａが形成されている。ファスナ回転操作部１３の頭形状は特に限定されず、取付パネル２に形成された取付孔部２１を完全に覆うことが可能な形状であればよい。
【００２４】
該ファスナ１を取付パネル２に保持する保持機構として、本実施形態では、中心回転軸１１に直交して延設された腕部１５を形成している。該腕部１５のは、該腕部１５とファスナ回転操作部１３との間に挟み込む取付パネル２の厚みに対応する位置に形成している。また、該腕部１５には、取付パネル２を押圧する凸部１６をファスナ回転操作部１３側に向けて形成している。
【００２５】
図４には、取付孔部２１の正面図を示している。図４に示すように、取付パネル２のファスナ１取り付け位置には、取付孔部２１が形成されている。
【００２６】
取付孔部２１は、ファスナ１の中心回転軸１１を保持する一対の張出部からなる回転軸支持部２１ａと、鎖錠片１２および腕部１５が通り抜け可能な貫通部２１ｂと、ファスナ１に形成された係止部１４を係止する回転規制部２１ｃ、２１ｄと、回転軸支持部２１ａの張出部にファスナの該腕部１５に形成した凸部１６が当接する受部２１ｅを有している。回転軸支持部２１ａの一対の張出部は、中心回転軸１１を保持するために細径の孔部を形成している。回転規制部２１ｃは、ファスナ１の回転を反時計方向で規制し、回転規制部２１ｄは、ファスナ１の回転を時計方向で規制し、該ファスナ１の最大回転角度を９０度に規制している。
【００２７】
本体パネル３のファスナ１取り付け位置には、図１に示すように、係止孔部３１が形成されている。係止孔部３１は、ファスナの中心回転軸１１が通り抜け可能な回転軸貫通部３１ａと、鎖錠片１２が通り抜け可能な鎖錠片貫通部３１ｂを有している。また、本体パネル３の両端には折曲部３２を形成し、取付パネル２との間に形成される空間部でファスナ１の腕部１５の厚みを吸収する構造としている。
【００２８】
なお、鎖錠片１２および腕部１５が通り抜け可能な取付孔部２１の貫通部２１ｂは、ファスナの中心回転軸１１が通り抜け可能な係止孔部３１の鎖錠片貫通部３１ｂに対して、略４５度の角度をなすように形成されている。
【００２９】
図５には、本実施形態のパネル取付構造の説明図を示している。本実施形態のパネル取付構造は、取付パネル２に形成された取付孔部２１に、取付パネル２の表面側からファスナ１を挿入後反時計方向に回転して、ファスナ１を保持した後、該取付パネル２の裏面側を本体パネル３に当接させて、本体パネル３に形成された係止孔部３１に該ファスナ１の先端部を挿入後時計方向に回転して、取付パネル２を本体パネル３に固定させたものである。
【００３０】
ファスナ１を取付パネル２に保持するためには、取付パネル２に形成された取付孔部２１へのファスナ１の挿入は、ファスナ１の鎖錠片１２を略４５度に傾斜させて行う（図５−（ａ））。その後、ファスナ１を反時計回りに回転させ（図５−（ｂ））、ファスナ１の係止部１４を取付パネルの回転規制部２１ｄに当接させる（図５−（ｃ））。このとき、ファスナ１の該腕部１５に形成した凸部１６が、取付パネル２に形成した受部２１ｅ押圧して、ファスナ１を取付パネル２に保持している。なお、受部２１ｅに突起１６に対応する孔部を形成することもできる。
【００３１】
ファスナ１を保持した取付パネル２を本体パネル３に固定するためには、該保持状態の取付パネル２とファスナ１を本体パネル３に当接させ、ファスナ１の鎖錠片１２を、本体パネル３に形成された係止孔部３１に挿入する（図５−（ｅ））。その後、ファスナ１を時計回りに９０度回転させて、鎖錠片１２を本体パネル３の裏面に係合させる（図５−（ｆ））。このときも、ファスナ１の係止部１４を取付パネルの回転規制部２１ｃに当接させ、ファスナ１の回転運動を規制している。
【００３２】
（実施形態２）
図６には、実施形態２のファスナ１の側面図を示し、図７には、実施形態２の取付パネル２の取付孔部２１の正面図を示している。
【００３３】
本実施形態に用いるファスナ１は、中心回転軸１１と、該中心回転軸のパネル挿入方向の先端部に設けた鎖錠片１２と、該中心回転軸１１のパネル挿入方向末端部に設けたファスナ回転操作部１３と、該ファスナ１の回転を規制する係止部１４と、該ファスナを取付パネルに保持する保持機構１５を備えることを特徴とするが、本実施形態では、係止部１４を兼用して、保持機構１５としている。
【００３４】
また、取付パネル２の回転規制部２１ｃ、２１ｄは保持機構１５を挟持可能なように幅狭に形成されており、ファスナ１を反時計回りに回転させて保持機構１５を回転規制部２１ｄで挟持することにより、ファスナ１を取付パネル２に保持するものとし、取付パネル２とファスナ１を本体パネル３に当接させた後に、ファスナ１を時計回りに９０度回転させて鎖錠片１２を本体パネル３の裏面に係合させる。また同時に、保持機構１５を回転規制部２１ｃで挟持することにより、ファスナ１の回転運動を規制している構造としている。なお、その他の構造及び取付パネル３の形状は実施形態１と同様である。
【００３５】
（実施形態３）
図８には、実施形態３のファスナ１の側面図を示し、図９には、実施形態２の取付パネル２取付孔部２１の裏面図を示している。
【００３６】
本実施形態では、取付パネル２の回転規制部２１ｃ、２１ｄを、裏面側の取付パネル上に突起部として形成している。また、ファスナ１の保持機構と回転を規制する係止部を兼ねた腕部１５が、ファスナ１を取付パネル２に保持すると共に取付パネル２の回転規制部２１ｃ、２１ｄと当接し位置規制する構造としている。
なお、取付パネル３の形状は実施形態１と同様である。
【００３７】
（実施形態４）
図１０には、実施形態４のファスナ１の全体図を示し、図１１には、ファスナ１の側面図を示し、図１２には、実施形態４の取付パネル２の取付孔部２１の正面図を示している。
【００３８】
本実施形態に用いるファスナ１は、中心回転軸１１と、該中心回転軸のパネル挿入方向の先端部に設けた鎖錠片１２と、該中心回転軸のパネル挿入方向末端部に設けたファスナ回転操作部１３と、該ファスナ１の回転を規制する係止部１４と、該ファスナを取付パネルに保持する保持機構を備えることを特徴とするが、本実施形態のファスナ１は、該保持機構が、中心回転軸に直交して延設された腕部１５であって、該腕部１５と鎖錠片１２は平行配置され、係止部１４が、中心回転軸１１のファスナ回転操作部１３側の基端に形成され、該係止部１４と腕部１５を軸部を中心に略９０度の角度をなして形成したものである。該腕部１５には、取付パネルを押圧する凸部１６を有している。
【００３９】
本実施形態の取付パネル２の取付孔部２１は、ファスナの中心回転軸１１を保持する細径の孔部を形成する一対の回転軸支持部２１ａと、鎖錠片１２および腕部１５が通り抜け可能な貫通部２１ｂと、ファスナに形成された係止部１４を係止する回転規制部２１ｃ、２１ｄと、回転軸支持部２１ａの基端部周辺にファスナの該腕部１５に形成した凸部１６が当接する受部２１ｅの他に、該係止部１４が挿入され回動する挿入部２１ｆを有している。回転規制部２１ｃは、ファスナ１の回転を反時計方向で規制し、回転規制部２１ｄは、ファスナの回転を時計方向で規制し、該ファスナ１の最大回転角度を９０度に規制している。なお、取付パネル３の形状は実施形態１と同様である。
【００４０】
本実施形態において、ファスナ１を取付パネル２に保持するためには、取付パネル２に形成された取付孔部２１へのファスナ１の挿入は、ファスナ１の鎖錠片１２を水平方向に位置させる。その後、ファスナ１を反時計回りに回転させ、ファスナ１の係止部１４を取付パネルの回転規制部２１ｃに当接させる。このとき、ファスナ１の該腕部１５に形成した凸部１６が、取付パネル２に形成した受部２１ｅを押圧して、ファスナ１を取付パネル２に保持している。
【００４１】
ファスナ１を保持した取付パネル２を本体パネル３に固定するためには、該保持状態の取付パネル２とファスナ１を本体パネル３に当接させ、ファスナ１の鎖錠片１２を、本体パネル３に形成された係止孔部３１に挿入する。その後、ファスナ１を時計回りに９０度回転させて、鎖錠片１２を本体パネル３の裏面に係合させる。このときも、ファスナ１の係止部１４を取付パネルの回転規制部２１ｄに当接させ、ファスナ１の回転運動を規制している。
【符号の説明】
【００４２】
１  ファスナ
１１  中心回転軸
１２  鎖錠片
１３  ファスナ回転操作部
１３a  溝部
１４  係止部
１５  腕部
１６  凸部
２  取付パネル
２１  取付孔部
２１a  回転軸支持部
２１ｂ  貫通部
２１ｃ  回転規制部
２１ｄ  回転規制部
２１e  受部
２１ｆ  挿入部
３  本体パネル
３１  係止孔部
３１a  回転軸貫通部
３１ｂ  鎖錠片貫通部
３２  折曲部
【図１】
2010270770.tif 000003
【図２】
2010270770.tif 000004
【図３】
2010270770.tif 000005
【図４】
2010270770.tif 000006
【図５】
2010270770.tif 000007
【図６】
2010270770.tif 000008
【図７】
2010270770.tif 000009
【図８】
2010270770.tif 000010
【図９】
2010270770.tif 000011
【図１０】
2010270770.tif 000012
【図１１】
2010270770.tif 000013
【図１２】
2010270770.tif 000014
【図１３】
2010270770.tif 000015